(57)【要約】  例として、接続された車両に広告コンテンツを配信するための新規のシステムおよび方法が開示される。ネットワークを介して１つまたは複数の接続された車両に広告コンテンツを配信するためのシステムは、サーバに結合された複数の接続された車両を含む。複数の接続された車両は、第１のワイヤレスネットワークを介してサーバと通信し得、相互通信し得、サーバは、ネットワークを介して接続された車両に広告コンテンツを管理および配信するように構成され得る。各接続された車両は、電子表示手段および／またはオーディオ手段を介して、接続された車両の位置情報、現地時間情報、または周囲の人々の属性に部分的に基づいて選択され得る広告コンテンツを出力するように構成され得る。コネクテッドカー。その結果、コネクティッドカーを利用することにより、広告コンテンツの配信効果を大幅に高めることができる。
2021512438.tif 000002
【特許請求の範囲】
【請求項１】
ネットワークを介して１つ以上の接続された車両に広告コンテンツを配信するためのシステムであって、
ネットワークを介してサーバに結合された複数の接続された車両であって、前記複数の接続された車両は、第１のワイヤレスネットワークを介してサーバと通信する複数の接続された車両を含み、
複数の接続された車両のそれぞれは、電子表示手段および／またはオーディオ手段を介して、１つまたは複数の広告コンテンツを出力するように構成され、
１つまたは複数の広告コンテンツは、複数の接続された車両の位置情報、現地時間情報、または複数の接続された車両の周りの人々の属性に部分的に基づいて、第１の無線ネットワークを介して選択されるシステム。
【請求項２】
各接続車両の電子表示手段は、１つ以上の広告コンテンツを再生するために連結された車両の内部に配置された内部ディスプレイまたは連結された車両の外部に配置された外部ディスプレイを含み、
各接続された車両のオーディオ手段は、１つ以上の広告コンテンツを再生するために連結車両の内部に配置された内部スピーカまたは連結車両の外部に配置された外部スピーカを含む請求項１に記載のシステム。
【請求項３】
前記第１の無線ネットワークは、セルラー通信ネットワーク、ＷＩ−ＦＩの通信網、または衛星通信ネットワークを含む、
接続された車両のそれぞれは、相互通信し、第２の無線ネットワークを介して他の接続された車両との間で１つまたは複数の広告コンテンツを送信または受信するように構成される請求項１または２に記載のシステム。
【請求項４】
前記複数の接続された車両のそれぞれは、前記第１のワイヤレスネットワークを介して前記サーバに送信するように構成され、前記接続された車両の位置情報は、全地球測位システム（ＧＰＳ）または他の接続車両の情報または近接情報の少なくとも１つを含む請求項１から３の何れか１つに記載のシステム。
【請求項５】
複数の接続された車両のそれぞれが、他の接続された車両の近接情報として相対位置を決定するための１つまかたは複数の超広帯域（ＵＷＢ）トランシーバを装備する、請求項４に記載のシステム。
【請求項６】
複数の接続車両は、第１の接続された車両と、第２の接続された車両と含み、第２の接続された車両の前に第１の接続車両と、
第１の接続された車両は、第１接続車両の外部ディスプレイ上に広告コンテンツを出力するように構成されて、
第２の接続された車両は、以下のように構成される：
第１の接続された車両の外部ディスプレイに表示された広告コンテンツを検出して識別し、
第２の接続された車両の乗員のために、第２の接続された車両の内部で、第１の接続された車両の外部ディスプレイに表示される広告コンテンツに関連する音声広告コンテンツを再生する請求項１から５の何れか１つに記載のシステム。
【請求項７】
前記第２の接続された車両がさらに、以下のように構成される、
第１の接続された車両の外部ディスプレイに表示された広告コンテンツに関連する最低１つのオーディオファイルを検索し、
複数の音声ファイルが見つかった場合、音声広告コンテンツの再生のための所定の優先順位に基づいて、複数の音声ファイルの中から音声ファイルを選択する請求項６に記載のシステム。
【請求項８】
前記第２の接続された車両は、前記第２の接続された車両が前記第１の接続された車両から所定の距離内にあると判定された場合にのみ、前記第２の接続された車両内で前記音声広告コンテンツを再生するようにさらに構成される、請求項６または７に記載のシステム。
【請求項９】
前記第１の接続された車両は、第１の接続された車両がユーザのプロファイルに従って第１の接続された車両のユーザによって設定された目的地からある距離内にあると決定されたとき、前記第１の接続された車両の外部ディスプレイ上の広告コンテンツの再生をオフにするように構成される、請求項６から８の何れか１つに記載のシステム。
【請求項１０】
複数の接続車両は第１の接続された車両、第２の接続された車両を含む、第１接続車両は第２接続車両に先行する、
前記第２の接続された車両は、
第２の接続された車両内で再生されているオーディオ広告コンテンツを検出し、
検出されたオーディオ広告に関連する限り１つのビデオファイルを検索し、
ファイルが見つかった少なくとも１つのビデオを、第１の接続された車両で再生するために、第２のワイヤレスネットワークを介して第１の接続された車両に送信し、
前記第１の接続された車両は、
第２の接続された車両から第２の無線ネットワークを介して最低１つのビデオファイルを受信し、
少なくとも１つのビデオファイルのビジュアル広告コンテンツを最初に接続された車両の外部ディスプレイに再生し、第２の接続された車両の乗員が第２の接続された車両内で再生されているオーディオ広告に関連てるすビジュアル広告コンテンツを見てる車が  第１の接続された車両の外部ディスプレイ請求項１に記載のシステム。
【請求項１１】
前記第１の接続された車両は、前記第１の接続された車両の前記外部ディスプレイ上で前記最低１つのビデオファイルの視覚広告コンテンツを再生する目的で、前記第１のワイヤレスネットワークを介して前記サーバから前記少なくとも１つのビデオファイルを受信するようにさらに構成される、請求項１０に記載のシステム。
【請求項１２】
オーディオ広告に関連する複数のビデオファイルが見つかると、所定の優先順位に従って、１つまたは複数のビデオファイルが再生のために選択される、請求項１０または１１に記載のシステム。
【請求項１３】
前記第１の接続された車両は、前記第１の接続された車両がユーザーのプロファイルに基づいて、最初に接続された車両のユーザーによって目的地セットから特定の距離内にあると判定されたとき、前記第１の接続された車両の外部ディスプレイ上の視覚広告コンテンツの再生をオフにするようにさらに構成される、請求項１０から１２の何れか１つに記載のシステム。
【請求項１４】
距離内の構造物に表示された広告コンテンツを検出するように構成された接続車両であって、
接続車両は、接続車両の内部および／または外部で広告コンテンツをさらに再生することにより、広告コンテンツの効果を高めることができるよう接続車両の外部ディスプレイまたは内部ディスプレイに広告コンテンツを再生するように構成され、
前記構造物は、建物、看板、または車両を含む、接続車両。
【請求項１５】
前記接続車両はさらに次のように構成され：
接続された車両の車載オーディオシステムを介して、構造物に表示された広告コンテンツに関連するオーディオ広告コンテンツを再生し、
接続された車両の外部ディスプレイまたは内部ディスプレイを介して、構造物に表示された広告コンテンツに関連する視覚的な広告コンテンツを再生する請求項１４に記載の接続車両。
【請求項１６】
広告の効果を高めるためのシステムであって、
広告コンテンツのデータベースに接続さたネットワーク上のサーバーと、
無線ネットワークを介してサーバに接続された接続された車両であって、外部ディスプレイと内部ディスプレイを含む接続された車を含めて、
前記接続された車両は、
ワイヤレスネットワークを介してサーバーから１つまたは複数の広告コンテンツを受信し、１つまたは複数の広告コンテンツは、接続された車両の位置情報、現地時間情報、または接続された車両の周りの人々の属性に部分的に基づいて選択され、
１つまたは複数の広告コンテンツを外部ディスプレイまたは内部ディスプレイに再生するシステム。
【請求項１７】
前記１つまたは複数の広告コンテンツのそれぞれが、広告コンテンツ識別子、広告主識別子まかたは車、識別番号を含む識別情報を含む、請求項１６に記載のシステム。
【請求項１８】
前記接続された車両の内部または外部ディスプレイ上で再生される１つまたは複数の広告コンテンツから視聴者が識別情報を取得し、視聴者が取得された識別情報に基づいてアクションを実行すると、サーバはさらに接続された車両のユーザーおよび／または視聴者への１つ以上の報酬の支払いを管理するるように構成される請求項１７に記載のシステム。
【請求項１９】
ビューアの前記アクションは、前記ビューアのモバイルデバイスを介した、前記取得された識別情報に基づく所定のウェブサイトへのアクセスを含む、
１つ以上の報酬は、割引レンタル料金、追加の使用時間、または接続された車両の次回使用のためのクレジット、またはそれらの任意の組み合わせを含む請求項１８に記載のシステム。
【請求項２０】
前記接続された車両は、前記接続された車両のユーザによる入力に基づいて、このユーザーインターフェース（ＧＵＩ）を介して、出発地から目的地までの第１の最大報酬ルートを決定するように構成され、最初の最大報酬ルートは、少なくとも部分的に、最大運転距離、最大運転時間、またはルート内の報酬の合計に基づいて決定される、請求項１７から１９の何れか１つに記載のシステム。
【請求項２１】
前記接続された車両が特定の地域、特定の道路、および／または特定の店舗を通過するとき、報酬の合計の値が、予想される広告効果に基づいて決定される、請求項２０に記載のシステム。
【請求項２２】
前記サーバは、前記接続された車両のユーザが所定の期間内に車載マイクを介してプロンプトに応答して１つまたは複数の特定のキーワードを入力したときに報酬を提供するように構成される、請求項１６から２１の何れか１つに記載のシステム。
【請求項２３】
前記報酬は、割引レンタル料金、追加の使用時間、または接続された車両またはそれらの任意の組み合わせの次回使用のためのクレジットを含む、請求項２２に記載のシステム。
【発明の詳細な説明】
【技術分野】
【０００１】
本開示は、ネットワークを介して広告コンテンツを配信するための、特に、接続された環境においてネットワークを介して１つまたは複数の接続された車両に広告コンテンツを配信するための装置に関する。
【背景技術】
【０００２】
現代のテクノロジーの進歩に伴い、インターネットに接続されたデバイスの人気が高まり、人々の日常生活でよのり一般事項的な場所になのりつつあのります。さらに、商業広告は、インターネット、ウェブページ、ユーチューブ、携帯電話、スマートＴＶなどのさまざまな配信技術形式を、新聞、雑誌、ＴＶ、看板などの従来の形式から遠ざけています。
【０００３】
また、最近では、タクシーや公共交通機関のバスなどの車の側面に、ステッカーや特別な絵の具を使って、より多くの利益を宣伝する広告が表示されています。ただし、これらの配信プラットフォームは本質的に静的であり、広告は車がの所有者とか広告主の月間で合意さんくれたん期間、車がに添付さんくれてるとかいう点で非常に制限さんくれてるいます。さらに、広告は車がルート全体で変化しません。
【０００４】
したがって、広告の効果を高める目的で広告コンテンツを車両に配信するための、新しく改善された革新的な方法または技術が引き続き必要とされている。
【発明の概要】
【課題を解決するための手段】
【０００５】
現代のテクノロジーの進歩に伴い、インターネットに接続されたデバイスの人気が高まり、人々の日常生活でよのり一般事項的な場所になのりつつあのります。さらに、商業広告は、インターネット、ウェブページ、ユーチューブ、携帯電話、スマートＴＶなどのさまざまな配信技術形式を、新聞、雑誌、ＴＶ、看板などの従来の形式から遠ざけています。
【０００６】
また、最近では、タクシーや公共交通機関のバスなどの車の側面に、ステッカーや特別な絵の具を使って、より多くの利益を宣伝する広告が表示されています。ただし、これらの配信プラットフォームは本質的に静的であり、広告は車両の所有者と広告主の間で合意された期間、車両に添付されるという点で非常に制限されています。さらに、広告は車がルート全体で変化しませいん。
［テクニカルソリューション］
【０００７】
したがって、広告の効果を高める目的で広告コンテンツを車両に配信するための、新しく改善された革新的な方法または技術が引き続き必要とされている。
［効果］
【０００８】
したがって、本開示の様々な態様では、位置情報、現地時間情報、または接続された車両の周りの人々の属性に一部基づいて、１つまたは複数の広告コンテンツを再生することにより、広告の効果を大幅に高めることができる。広告プラットフォームとしての１つ以上の接続された車両。
【図面の簡単な説明】
【０００９】
より詳細な理解は、以下の添付図面と併せて以下の説明から得ることができる。
【図１】本開示の一態様による、本技術の例示的な実施形態を概念的に示す全体的なネットワーク図である。
【図２Ａ】本開示の一態様による、本技術の例示的な実施形態を概念的に示す図である。
【図２Ｂ】本開示の一態様による、本技術の例示的な実施形態を概念的に示す図である。
【図２Ｃ】本開示の一態様による、本技術の例示的な実施形態を概念的に示す図である。
【図３】本開示の一態様による、本技術の例示的な実施形態を概念的に示す図である。
【図４Ａ】本開示の一態様による、本技術の例示的な実施形態を概念的に示す図である。
【図４Ｂ】本開示の一態様による、本技術の例示的な実施形態を概念的に示す図である。
【図５Ａ】本開示の一態様による、本技術の例示的な実施形態を概念的に示す図である。
【図５Ｂ】本開示の一態様による、本技術の例示的な実施形態を概念的に示す図である。
【図６Ａ】本開示の一態様による、本技術の例示的な実施形態を概念的に示す図である。
【図６Ｂ】本開示の一態様による、本技術の例示的な実施形態を概念的に示す図である。
【図７Ａ】本開示の一態様による、本技術の例示的な実施形態を概念的に示す図である。
【図７Ｂ】本開示の一態様による、本技術の例示的な実施形態を概念的に示す図である。
【図８Ａ】本開示の一態様による、本技術の例示的な実施形態を示す。
【図８Ｂ】本開示の一態様による、本技術の例示的な実施形態を示す。
【図８Ｃ】本開示の一態様による、本技術の例示的な実施形態を示す。
【図９】本開示の一態様による実施形態の一例を概念的に示すブロック図である。
【発明を実施するための形態】
【００１０】
自動運転車や電気自動車の登場により、自動車はさまざまな通信技術を介してネットワークやインターネットにさらに接続されています。さらに、インターネットに接続された乗り物がより多くあり、無線ネットワークを介してデバイスと通信したり、他の接続された乗り物と通信したりできる。それ、車両は輸送手段だけでなく、現在のニュース、気象データなどのさまざまな情報を取得するためにネットワークを介して１つ以上のサーバーと通信できるクライアント（クライアント／サーバーインスタンス）などのデバイスにもなります。ネットワーク上の１つまたは複数のサーバーからの提供情報。
【００１１】
本明細書で説明する本技術は、モノのインターネット（ＩＯＴ）環境で接続された車両に１つまたは複数の広告コンテンツをより効果的な方法で配信し、それによって人々に配信される広告の効果を高めるシステムまたは方法を提供する。それ、本技術は、一態様では、接続された車両を広告プラットフォームの一部として使用して、視聴者に可能な限り最高の効果をもたらす１つまたは複数の広告コンテンツを配信するための新しい新規のシステムまたは方法を提供する。
【００１２】
本技術の一実施形態では、ネットワークを介して１つまたは複数の接続された車両に広告コンテンツを配信するためのシステムは、ネットワーク環境内に複数の接続された車両を含む。接続された複数の車両のそれぞれは、ネットワークを介してサーバに結合されてもよく、サーバは、広告コンテンツの配信を管理するように構成されてもよい。また、複数の接続された車両は、第１のワイヤレスネットワークを介してサーバーと通信することができました、複数の接続された車両のそれぞれは、電子表示手段および／またはオーディオ手段を介して、１つまたは複数の広告コンテンツを出力するように構成することができる。１つ以上の広告コンテンツは、複数の接続された車両の位置情報、現地時間情報、または複数の接続された車両の周りの人々の属性（例えば、年齢、性別、好みなど）に部分的に基づいて選択され得る。
【００１３】
本開示の別の態様では、各接続車両の電子表示手段は、１つまたは複数の広告コンテンツを再生するために接続車両の内部に配置された内部ディスプレイまたは接続車両の外部に配置された外部ディスプレイ含み得ています。
【００１４】
本開示の一態様では、各接続車両のオーディオ手段は、１つまたは複数の広告コンテンツを再生するために接続車両の内部に配置された内部スピーカーまたは接続車両の外部に配置された外部スピーカーを希釈得る。
【００１５】
本開示の一態様では、サーバは、１つまたは複数の広告コンテンツを複数の接続された車両に送信するように構成される。
【００１６】
本開示の一態様では、接続された車両のそれぞれは、第２のワイヤレスネットワークを介して他の接続された車両との間で１つまたは複数の広告コンテンツを送信および／または受信するように構成される。
【００１７】
本開示の一態様では、第１のワイヤレスネットワークは、セルラー通信ネットワーク、ＷＩ−ＦＩ通信ネットワーク、または衛星通信ネットワークを含む。
【００１８】
本開示の一態様では、複数の接続された車両のそれぞれは、ワイヤレスネットワークを介してサーバに送信するように構成され、接続された車両の位置情報、および位置情報は、グローバルポジショニングシステム（ＧＰＳ）近くに接続されている他の車両の情報または近接情報。
【００１９】
本開示の一態様では、複数の接続された車両のそれぞれは、他の近くに接続された車両の近接情報を決定するための１つまたは複数の超広帯域（ＵＷＢ）トランシーバを装備している。
【００２０】
本開示の別の実施形態では、複数の接続された車両は、第１の接続された車両と第２の接続された車両とをこうした、第１の接続された車両は、方向において第２の接続された車両に先行する。
【００２１】
本開示の一態様では、システムにおいて、複数の接続された車両の第１の接続された車両は、第１の接続された車両の外部ディスプレイに広告コンテンツを出力するように構成され、複数の接続された車両の第２の接続された車両は、車両は、接続された車両の外部ディスプレイに表示された広告コンテンツを検出および識別し、第２の接続車両内で、第１の接続車両の外部ディスプレイに表示された広告コンテンツに関連する音声広告コンテンツを再生するように構成され得る。
【００２２】
さらに、本開示の一態様では、第２の接続車両は、第１の接続車両の外部ディスプレイに表示される広告コンテンツに関連する限り１つのオーディオファイルを検索するように構成され、複数のオーディオファイルが見つかった場合、オーディオ広告コンテンツの再生のための所定の優先順位に基づくオーディオファイル。
【００２３】
本開示の一態様では、第２の接続車両は、第２の接続車両が第１の接続車両から所定の距離内にあると判定されると、第２の接続車両内でオーディオ広告コンテンツを再生するようにさらに構成され得る。
【００２４】
本開示の別の態様では、第１の接続車両は、第１の接続車両がユーザによって目的地から特定の距離内にあるとき、第１の接続車両の外部ディスプレイ上のオーディオ広告コンテンツの再生をオフにするように構成され得る。
【００２５】
本開示の別の態様では、第２の接続された車両は、第２の接続された車両内で再生されているオーディオ広告を検出し、検出されたオーディオ広告に関連する少なくとも１つのビデオファイルを検索し、少なくとも１つを送信するように構成され得る。再生のために最初に接続された車両へのビデオファイル。さらに、第１の接続車両は、第２の接続車両から少なくとも１つのビデオファイルを受信し、第１の接続車両の外部ディスプレイ上に続く１つのビデオファイルの視覚広告コンテンツを再生するように構成されてもよい。第２の接続された車両の内部で再生されているオーディオ広告に関連する視覚的な広告コンテンツは、第２の接続された車両の乗員に提示される。
【００２６】
本開示の別の態様では、第１の接続された車両は、第１の接続された車両の外部ディスプレイ上に視覚広告コンテンツを再生するための引き続き１つのビデオファイルをサーバから受信するようにさらに構成され得る。
【００２７】
本開示の別の態様では、第２の接続された車両が、オーディオ広告に関連する複数のビデオファイルが存在すると判断した場合、所定の優先順位に従って再生用のビデオファイルを選択することができる。
【００２８】
本開示の別の態様では、接続車両の乗員にプライバシーを提供するために、第１接続車両は、第１接続車両の外部ディスプレイ上の視覚広告コンテンツの再生をオフにするように構成され得る。最初に接続された車両のユーザーが設定した目的地から一定の距離内にある。
【００２９】
本開示の別の態様では、広告の効果を高めるために、接続された車両の１つが距離内に表示された広告コンテンツを検出すると、第１の接続された車両は、広告コンテンツが視聴者にさらに再生されるように、広告コンテンツを接続された車両の外部ディスプレイに表示するように構成され得る。
【００３０】
本開示の別の態様では、接続された車両の１つは、接続された車両の１つの車載オーディオシステムを介して、接続された車両の外部ディスプレイに表示される広告コンテンツに関するオーディオを再生するように構成され得る。
【００３１】
本開示の別の態様では、接続された車両の１つが目的地の特定の距離内にあるとき、接続された車両の１つは、接続されている車両の外部ディスプレイに表示される広告コンテンツの再生をオフにするように構成され得る。
【００３２】
本開示の別の実施形態では、広告コンテンツを配信するためのシステムは、ネットワークを介したサーバと、いくつかの外部ディスプレイおよび内部ディスプレイを含む接続された車両とを含む。接続された車両は、無線ネットワークを介してネットワークを介してサーバーに結合されてもよい。さらに、接続車両は、無線ネットワークを介してサーバから１つまたは複数の広告コンテンツを受信し、外部ディスプレイまたは内部ディスプレイのいずれかを介して１つまたは複数の広告コンテンツを再生するように構成され得る。
【００３３】
本開示の一態様では、上記のシステムにおいて、サーバは、外部閲覧者が識別情報を取得したときに、接続された車両のユーザおよび／または外部閲覧者に１つまたは複数の報酬を提供するようにさらに構成され得る。接続された車両の外部ディスプレイに再生され、取得された識別情報に基づいてアクションを実行する広告コンテンツ。
【００３４】
本開示の一態様では、外部ビューのアクションは、外部ビューアのモバイルデバイスを介した、取得された識別情報に基づく所定のウェブサイトへのアクセスを後述する。
【００３５】
本開示の一態様では、１つまたは複数の報酬は、割引レンタル料金、追加の使用時間、または接続された車両の次回使用のためのクレジットを含むことができる。
【００３６】
本開示の別の態様では、接続車両は、接続車両のユーザに、出発地から目的地までのパイロットユーザインターフェース（ＧＵＩ）を介して第１の最大報酬ルートを提供するように構成され得る。
【００３７】
本開示の一態様では、第１の最大報酬経路は、最大運転距離、最大運転時間、または経路内の報酬の合計に最低部分的に基づいて決定され得る。
【００３８】
本開示の一態様では、接続された車両が特定の地域、特定の道路、および／または特定の店舗を通過するときに、報酬の合計の値を、予想される広告効果に基づいて決定することができる。
【００３９】
本開示の一態様では、第１の最大報酬経路からの接続車両の逸脱時に、接続車両は、第２の最大報酬経路を決定し、接続車両のユーザに第２の最大報酬経路を提示するように構成され得る。
【００４０】
本開示の別の態様では、サーバは、接続された車両のユーザに、所定の期間内に車載オーディオを介して広告主によって提供されたプロンプトに応答してユーザが適切な応答を入力したときに報酬を提供するように構成され得る。本開示の一態様では、適切な応答は、特定のキーワードまたはフレーズを含む単語またはフレーズを含む。
【００４１】
本技術の別の実施形態では、広告コンテンツを配信するための装置は、電子ディスプレイ手段および／またはオーディオ手段を介して、それぞれに基づいて選択される１つ以上の広告コンテンツを出力するように構成される、１つ以上の接続された車両を含む。複数の接続された車両の周りの１つまたは複数の接続された車両の位置情報、現地時間情報、または人々の属性（例えば、年齢、性別、好みなど）の一部。
【００４２】
例えば、１つまたは複数の広告コンテンツは、一日の現地時間に基づいて選択されてもよい。それ、大都市では、午後６時以降に飲み物やバーなどの販売に関連する特定の広告コンテンツが選択され、店舗などの他の広告コンテンツや日中のイベントが選択されて再生される場合があります。本開示の別の態様では、１つまたは複数の広告コンテンツは、接続された車両を取り巻く人々の属性（たとえば、年齢、性別、好みなど）に基づいて選択することもできる。
【００４３】
本開示の別の態様では、接続された車両のそれぞれは、ワイヤレスネットワークを介して他の接続された車両と通信するように構成され得る。
【００４４】
本技術の別の実施形態では、接続車両は、距離内の構造物に表示された広告コンテンツを検出するように構成されてもよく、接続車両は、接続コンテンツの外部ディスプレイまたは内部ディスプレイに広告コンテンツを再生するように構成される。接続された車両の内部および／または外部で追加的に広告コンテンツを再生することにより、広告コンテンツの効果を高めることができる。構造物は、建物、看板、または車両をこうした得る。さらに、本開示の一態様では、接続された車両は、接続された車両の車載オーディオシステム（例えば、スピーカー）を介して、関連する（または対応する）オーディオ広告コンテンツを再生するようにさらに構成され得る。）構造物に表示された広告コンテンツ、および接続された車両の外部ディスプレイまたは内部ディスプレイを介して、構造物に表示された広告コンテンツに関連する（または対応する）視覚的な広告コンテンツを再生する。
【００４５】
したがって、本開示の様々な態様では、位置情報、現地時間情報、または接続された車両の周りの人々の属性に一部基づいて、１つまたは複数の広告コンテンツを再生することにより、広告の効果を大幅に高めることができる。広告プラットフォームとしての１つ以上の接続された車両。
【００４６】
以下の図面の簡単な説明および本技術の例示的な実施形態の詳細な説明は、本技術をよりよく理解するために提供される。
［発明の形態］
【００４７】
次に、例示的な例の詳細な説明を、様々な図面に関連して以下に説明する。以下の説明は例示を意図したものであり、請求された発明の範囲を決して限定するものではない。また、可能な実装の詳細な例を提供し、ここで説明する概念または現在の技術を実施できる唯一の構成を表すことは意図していません。さらに、詳細な説明は、様々な概念の完全な理解を提供するための特定の詳細を後述、これらの概念は、これらの特定の詳細なしで実施され得ることに留意されたい。場合によっては、そのような概念や表示の明瞭さを曖昧にしないように、よく知られている構造やコンポーネントをブロック図の形式で示しています。また、同様の参照番号は、同様の要素および特徴を示すために図面で使用されることに留意されたい。
【００４８】
方法論は時々一連のステップまたは行為として本明細書に記載されているが、簡略化のために、主張された主題はこれらのステップまたは行為の順序によって限定されないことを理解されたい。／またはここに示され、説明されている他の行為同時に。さらに、本明細書に開示された本技術による様々な方法を実施するために、例示されたすべてのステップまたは行為が必要とされるわけではない。また、本明細書で説明する装置および方法は、本開示または技術の教示から逸脱することなく、個別に、または本開示の他の態様と組み合わせて、または従来の技術と組み合わせて利用できることを理解されたい。
【００４９】
本開示では、本明細書で使用される様々な用語または句は、以下のように定義される。「広告コンテンツ」という語句は、製品、サービスのオーディオ広告またはビジュアル広告のいずれかのコンテンツを意味するために使用されます。これには、ビデオ、オーディオ、テレビ放送、ニュース、天気、ミッション、調査などが含まれますが、これらに限定されません。投票、インタラクティブゲームなど、さまざまな形式の１つ以上のオーディオ、画像、またはビデオファイルを介して配信されます。「オーディオ広告コンテンツ」または「オーディオコンテンツ」という用語は、本明細書では、広告のオーディオコンポーネントを意味するために使用される。「ビジュアル広告コンテンツ」または「ビジュアルコンテンツ」という用語は、本明細書では、広告のビジュアルまたは画像コンポーネントを意味するために使用される。
【００５０】
「接続された車両」という用語は、本明細書では、インターネットプロトコル（ＩＰ）ネットワークなどのネットワークに接続することができ、通信することができる静止または移動の１つまたは複数の車両を意味するために使用される。ネットワーク経由で１つ以上のコンピューティングデバイスを使用します。接続された車両は、輸送目的での車両の運転手または乗客などの１人以上の乗員のためのいくつかの内部空間を備える得、自律車両および非自律車両であり得る。
【００５１】
「結合される」という用語またはその変形は、本明細書では、例えば、様々なネットワークプロトコルを介してネットワークを介して特定のデバイスに接続されるか、またはそれと通信することを意味するために使用される。
【００５２】
「表示手段」という用語またはその変形は、液晶ディスプレイ（別途）ディスプレイ、発光ダイオード（ＬＥＤ）ディスプレイ、有機ディスプレイを含むがこれらに限定されない特定の電子ディスプレイ手段を含むディスプレイデバイスを意味するために本明細書で使用される。ＬＥＤ（ＯＬＥＤ）ディスプレイ、または１つ以上のビジュアル広告コンテンツを出力できる他のタイプのディスプレイ。「オーディオ手段」という用語は、本明細書では、オーディオまたはサウンドを出力することができるできる１つまたは複数のスピーカを含むがこれらに限定されない任意のタイプのオーディオ手段を意味するために使用される。
【００５３】
「位置情報」という用語は、本明細書では、全地球測位システム（ＧＰＳ）、セルラー信号、ＷＩ−ＦＩ信号、ビーコン信号などに基づいて決定される位置データを含むがこれらに限定されない特定の情報またはデータを意味するために使用される。「近接情報」という用語は、ここでは別のオブジェクトに対するオブジェクトの特定の位置情報を意味するために使用され、これに限定されないがウルトラワイドバンド（ＵＷＢ）などの技術に基づいて、２つ以上のオブジェクト間の距離情報を含めることができます。ライダー、レーザー、カメラ、超音波など
【００５４】
「先行する」という用語は、本明細書では、文房具であるか、または方向に移動することができる２つ以上の接続された車両の間の特定の距離の前方または前方にあることを意味するために使用される。
【００５５】
「ビルボード」という用語は、本明細書では、従来の看板、建物の壁などの文房具構造、または車両の側面に配置されたディスプレイなどの１つまたは複数の広告を表示する一般的な構造を意味するために使用される、それは静止している場合と移動している場合があります。また、掲示板は、１つまたは複数のコンピューティングデバイスをこうした得る。
【００５６】
「割引レンタル料金」という用語は、本明細書では、接続された車両のレンタル料金の割引のコードまたはクーポンを意味するために使用される。本明細書では、「最大報酬ルート」という用語は、接続された車両を使用して、または乗車して可能な最大報酬額を収集できるルートを意味するために使用される。本明細書では、「予想される広告効果」という用語は、定量化可能な効果と定量化不可能な効果の両方を含む広告の効果を意味するために使用される。予想される広告効果の例は、接続された車両に乗っている間に広告の多くの視聴者に割り当てられた数値であり得る。
【００５７】
図１は、本開示の一態様による、本技術の例示的な実施形態を概念的に示す図である。図１は、１つまたは複数のクライアント１０１または１０３、ネットワーク１０５、１つまたは複数のサーバー１０７、および１つまたは複数のデータベース２０３などの様々なコンポーネントを含む高水準システムを示す。１つまたは複数のクライアント１０１は、１つまたは複数の接続された車両を含むことができる。第１の無線ネットワーク１１１は、セルラー技術および／またはそれに限定されないがこれらに限定されないデータ通信技術などの様々な電気通信技術を使用して実装され得る。４番目の世代（４Ｇ）、５番目の世代（５Ｇ）、またはインターネットプロトコル（ＩＰ）またはその変異体に基づいている他の高度な将来の世代の通信技術。ネットワーク１０５は、１つまたは複数のクライアント１０１および１０３をネットワークを介して１つまたは複数のサーバー１０７に接続する１つまたは複数のパブリックまたはプライベートネットワークから構成され得る。１つまたは複数のサーバー１０７は、１つまたは複数のデータベース９．３に結合することができ、これは、限定されないが、広告コンテンツのデータベース、ユーザープロファイルのデータベース、広告主プロファイルのデータベース、データベースを含む、様々なタイプのデータを含むことができる。ニュースおよび他の情報（例えば、ニュース、ビデオ、オーディオ、放送、天気ニュース、ミッション、調査または投票、インタラクティブゲームなど）およびクライアント１０１および１０３のデータベース。さらに、１つまたは複数のサーバー１０７は、第１の無線ネットワーク１１１を介して１つまたは複数のクライアント１０１または１０３への広告コンテンツの配信の管理および制御を含むがそれに限定されない様々な機能を実行するように実装される。また、１つまたは複数のサーバ１０７はアカウント管理機能を含むことができる。広告コンテンツ、広告主、ユーザー向け。アカウント管理機能は、サブスクリプション、報酬支払いなどを含むことができる。さらに、１つまたは複数のサーバー１０７は、単一のコンピュータまたは複数のコンピュータに分散方式で実装することができる。
【００５８】
本開示の一態様では、一つ以上の接続された車両１０１は、一つ以上の接続された車両１０１の位置情報に部分的に基づいて１つ以上のサーバ１０７から１つ以上の広告コンテンツを受信するように構成されてもよい介しネットワーク１０５および無線ネットワーク１１１に接続され、１つまたは複数の接続された車両１０１の内部の乗員または外部の視聴者に１つまたは複数の広告コンテンツを出力する。それ、１つまたは複数の接続された車両１０１は、クライアント−サーバ環境においてクライアントとしてのプロキシことができる。また、本開示の別の態様では、１つまたは複数の広告コンテンツは、現地時間、および接続された車両の周りの人々の属性（例えば、年齢、性別、好みなど）などの他の要因に基づいて決定され得る。接続された車両１０１の位置情報に加えて。
【００５９】
また、この例では、１つまたは複数の接続車両１０１はそれぞれ、車両識別番号、ユーザ、ドライバ、または所有者情報などの接続車、の識別情報を収集してる１つまたは複数のサーバ１０７に送信するように構成される。さらに、１つまたは複数の接続された車両１０１は、接続された車両の位置情報、たとえば全地球測位システム（ＧＰＳ）、超広帯域データなどを収集してる１つまたは複数のサーバー１０７に送信するように構成され得る。速度、温度、動作条件などの現在の車両ステータスデータ
【００６０】
さらに、１つまたは複数の接続された車両１０１はそれぞれ、接続された車両１０１の内部または外部で再生されるべき広告コンテンツ、ニュース、または他のタイプのデータなどの１つまたは複数のサーバからコマンドおよび／またはデータを受信するように構成される。あるいは、１つまたは複数の接続された車両１０１はそれぞれ、ネットワークを介して１つまたは複数のサーバ１０７からの特定のコマンドに応答して適切なアクションを実行するように構成される。
【００６１】
また、図１に示されるように、クライアント１０３は、つまたは複数の広告コンテンツを再生するためのディスプレイおよびスピーカーを備えたビルボードまたはビルボードなどの構造を備える得る。本開示の別の態様では、クライアント１０１または１０３は、現在の位置情報、識別情報、周囲の条件を含む環境条件、マイクロダスト量などの特定のデータをネットワークを介してサーバー１０７に送信するように構成され得る。空気、温度、ノイズなど、特定のコマンドや情報をサーバー１０７から受信し、受信したコマンドや情報を１つまたは複数のアクションで処理します。たとえば、外部の情報を表示または再生します。ディススープレイクライアント一例とかしてる１０１または１０３は、サーバ１０７に配置されたクライアント１０１または１０３かなら空気中の微細粉塵の量に関すてるセンサデータを受信すてるように構成すてることかができてる特定の位置、および特定のコマンドおよび／またはデータを送信しますクライアント１０１または１０３への、たとえば警告または警告メッセージに応答して、警告または警告メッセージは、公衆のためにクライアント１０１または１０３の外部ディスプレイ上で再現することができる。
【００６２】
図２Ａ〜図２Ｃは、本開示の態様における本技術の例示的な実施形態を示す。一例として、図２Ａおよび図２Ｂに示されるように、各接続車両１０１は、内部および外部に様々なデバイスを装備することができる。まず、図２Ａに示すように、接続車両１０１は、１つ以上の外部ディスプレイ２０５、１つ以上の外部スピーカスピーカー、および１つ以上の外部カメラ２０９を備え、接続車両１０１の外部の視聴者のための１つ以上の広告コンテンツを再生することができる。接続された車両１０１は、内部のディスプレイ２０５'、１つまたは複数の内部スピーカー２１１'、および１つまたは複数の内部カメラ２０９'を含む、接続された車両の運転手および／または乗客を含む乗員の１つまたは複数の広告コンテンツを再生することができる。１０１。
【００６３】
図２Ｃは、本開示の一態様において接続された車両１０１の一部であり得る広告システム２００のコンポーネントを概念的に示すブロック図を示す。例として、図２Ｃの広告システム２００は、図１、４Ａ、５Ａ、６Ａ、および７Ａ  に示されるような接続された車両などの車両に含まれ得る。図２Ｃはまた、それに限定されないが、主制御ユニット（ＭＣＵ）２３３、通信ユニット２３５、センサユニット２３７、出力ユニット２３９、および任意選択で１つまかたは複数のデータベストースなどの様々なコンポーネントを含むことかができています。
【００６４】
本明細書で説明する例では、主制御ユニット２３３は、接続された車両を介して１つまたは複数の広告コンテンツを再生して広告の効果を高めるための広告システム２００のデバイスまたはユニットを管理および通信するように構成され得る。通信ユニット２３５は、主制御ユニット２３３に結合され得、図１に示されるように、ネットワーク１０５を介して１つ以上のサーバ１０７と、または他の接続された車両１０１または構造１０３と通信するように構成され得る。また、ネットワーク１０５を介した１つまたは複数のサーバ１０７との通信に関して、第３世代（３Ｇ）、第４世代（４Ｇ）または第５世代（５Ｇ）の通信技術などの様々な無線通信技術は、音声およびインターネット接続を備えた高速データサービスを可能にするテクノロジーとして使用されます。
【００６５】
さらに、本開示の一態様では、広告システム２００の通信ユニット２３５は、他の接続された車両１０１または構造１０３と通信するために必要な様々なトランシーバを含むように構成され得る。ＷＩＦＩまたは他の車両通信技術、例えば、車両間（Ｖ２Ｖ）、車両アドホックネットワーク（ＶＡＮＥＴ）などが、接続された車両１０１間、または接続された車両１０１と構造物１０３との間の通信に使用され得る。１つの実装では、Ｖ２Ｖは、接続された車両１０１の間で使用され得、これは、自動車が互いに通信することを可能にするように設計され、５．９ＧＨＺ帯域の領域を使用するように設計される自動車技術である、ＷＩ−ＦＩは、接続された車両１０１と構造物１０３との間の通信に使用されてもよい。
【００６６】
さらに、広告システム２００のセンサーユニット２３７は、ＧＰＳ、超広帯域（ＵＷＢ）トランシーバー、カメラ、車両センサー、環境センサーなどを含み、接続された車両１０１および周囲に関する様々な情報およびデータを収集してもよい。環境。例として、センサーユニット２３７のＧＰＳは、接続された車両１０１の大まかな位置情報、例えばＧＰＳ座標を収集するために使用され得、ＵＷＢトランシーバは、接続された車両の相対位置またはより細かい位置情報を取得するために使用され得る。近くの他の接続された車両に関して車両１０１。別の実装形態では、センサーユニット２３７は、セルラー信号、ＷＩ−ＦＩ信号、またはビーコンに基づく１つまたは複数の位置識別システムを含む得る。また、別の実施態様では、広告システム２００のセンサーユニット２３７は、ライダー、レーザー、超音波などに基づく他の位置識別システムを含むことができる。さらに、広告システム２００のセンサーユニット２３７は、接続された車両の内部および外部のリアルタイムで画像を取り込むように構成された１つ以上のカメラを後述得、その画像は、１つの識別を含む様々な目的でさらに処理される。例えば、広告、人、人の属性（たとえば、年齢、性別、好みなど）。
【００６７】
本開示の一態様では、例では、接続された車両の１つまたは複数の外部カメラを使用して、他のソフトウェアおよび／またはハードウェアコンポーネントと連携して、他の接続された車両に表示される１つまたは複数の広告コンテンツを認識または検出することができる。または、看板、トラック、バス、建物の壁などの文房具または移動構造物。接続された車両の１つ以上の外部カメラを使用して、年齢、性別、好みなどの人々の特定の特性を判別できます。接続された車両の外部の人々の画像を処理することにより、決定された人々の列車に基づいて、接続された車両の外部ディスプレイおよび／またはスピーカー上に１つ以上の適切な広告コンテンツを再生する。さらに、本開示の一態様では、接続された車両の１つまたは複数の内部カメラを使用して、他のソフトウェアおよび／またはハードウェアコンポーネントと連携して、接続された車両の１つまたは複数の乗員に関する特定のデータを認識または検出することができる。ドライバーと乗客をこうしたます。さらに、接続された車両の１つ以上の内部カメラを使用して、接続された車両内の人々の画像を処理することにより、年齢、性別、好みなどの人々の特定の特性を決定し、決定された人々の列車に基づいて、接続された車両の内部ディスプレイおよび／またはスピーカー上のより適切な広告コンテンツ。
【００６８】
さらに、接続車両１０１内の広告システム２００は、オプションとして、広告コンテンツのデータベース、広告主のデータベース、および／または接続車両１０１の運転者、ユーザー、または所有者のプロファイルなどを含む１つまたは複数のデータベースを含むことができる。本開示の一態様では、広告システム２００の１つまたは複数のデータベースを使用して、接続された車両１０１または他の接続された車両１０１のビジュアル広告コンテンツおよびオーディオ広告コンテンツ含む広告コンテンツを、さらに、１つまたは複数のデータベースは、広告コンテンツ、ニュース、天気、ビデオ、オーディオ、ブロードキャスト、ユーザープロファイル、ドライバープロファイル、車両所有者プロファイル、車両ステータスプロファイル、または多くのその他。上記のように、本明細書で使用される場合、「広告コンテンツ」は、オーディオおよびビジュアルコンポーネントの両方、例えば、オーディオ広告コンテンツおよびビジュアル広告コンテンツを含む。ユーザープロファイルは、名前、年齢、性別、買い物の好み、過去の使用履歴などの個人データを含むがこれらに限定されない、接続された車両のユーザに関する様々な情報を含む得る。ドライバプロファイルは、運転者に関する様々な情報を含む得る。接続された車両これには、名前、年齢、性別、買い物の好み、過去の使用履歴、運転習慣などの個人データが含まれますが、これらに限定されません。車両所有者プロファイルには、車両所有者に関するさまざまな情報が含まれます。名前、年齢、性別、買い物の好み、運転習慣などの個人データ
【００６９】
さらに、本開示の別の態様では、接続された車両１０１に配置された広告システム２００の１つまたは複数のデータベースは、ネットワークを介して１つまたは複数のサーバー１０７から第１のワイヤレスネットワーク１１１を介して定期的に自動的に更新され得る。１０５。
【００７０】
図３は、接続された車両に広告コンテンツを管理および配信するためのネットワークを介した１つまたは複数のサーバの様々なコンポーネントを概念的に示す図を示す。例として、本開示の一態様では、サーバ１０７は、通信ユニット３０１および管理および制御ユニット３０３を含む。サーバ１０７はさらに、限定されないが、それに加えて、広告コンテンツのデータベース３０５、ユーザープロファイルのデータベース３０７、広告主プロファイルのデータベース３０９  、およびアカウント管理ユニット３１１。さらに、本開示の別の態様では、様々な機能またはデータベースが複数のサーバに実装されてもよい。分散して。
【００７１】
本開示の一態様では、サーバ１０７の通信ユニット３０１は、１つまたは複数のクライアントから特定のデータ（たとえば、位置情報、ステータスデータなど）を受信するように構成された受信ユニット（図理解ず）含むように構成され得る。１０１または１０３と、広告コンテンツを含むコマンドおよび／またはデータをクライアント１０１または１０３に送信するように構成された送信ユニット（図示せず）。また、サーバ１０７の管理および制御ユニット３３は、接続された接続を管理および制御するように構成されてもよい。車だけでなく、接続された車への広告コンテンツの配信。さらに、サーバー１０７のアカウント管理ユニット３１１は、ユーザー、ドライバ、車両所有者、ならびに広告主に関する会計データ（例えば、サブスクリプションステータス、報酬ステータス、支払いステータスなど）を格納および管理するように構成され得る。サーバ１０７のアカウント管理ユニット３１１は、特定のアクションがとられたときに、ユーザー、ドライバ、または車両所有者への１つまたは複数の報酬の支払いを管理するように構成され、広告主は、接続されたものを介して再生される広告コンテンツに関して指定する。車両。
【００７２】
さらに、本開示の一態様では、広告コンテンツのデータベース３０５は、ネットワークを介して接続された車両に配信される１つまたは複数の広告コンテンツを含むように構成され得る。上記のように、各広告コンテンツは、オーディオおよびビジュアルコンポーネントの両方、例えば、オーディオ広告コンテンツおよびビジュアル広告コンテンツを含み得る。また、これらに限定されないが、接続された車両の位置情報、現地時間情報、または接続された車両の周囲人々の属性（例：年齢、性別、好みなど）などの特定の情報に基づいて、または特定の条件が満たされた場合、１つ以上の広告コンテンツが選択され、ネットワークを介して接続された車両に配信されます。
【００７３】
本開示の別の態様では、ユーザープロファイルのデータベース３０７は、接続された車両のユーザー（ドライバーを含む）の１つ以上のプロファイル、例えば、限定ではないが名前、年齢、性別、個人的な好み、買い物習慣、報酬の額などを含むユーザー情報。
【００７４】
さらに、本開示の一態様では、広告主のデータベース３０５は、広告主の１つまたは複数のプロファイル、たとえば名前、場所、事業の種類、広告コンテンツ、報酬を含むがこれらに限定されない広告主情報を含むように構成され得る。支払基準など
【００７５】
さらに、１つまたは複数のサーバ１０７は、現在のニュース、気象情報、ポッドキャスト、ライブ放送、ビデオ、オーディオなど、公衆に関心があり得る他のタイプの情報のデータベースを含む（またはそれに結合する）ことができる。
【００７６】
図４Ａおよび図４Ｂは、本開示の一態様による、本技術の別の実施形態を示す。図４Ａでは、この例は、２つの接続車両変数および４１１が距離Ｄ１で同じ方向に移動しており、第１接続車両のが第２接続車両４１１に先行している。第１接続車両からおよび第２接続車両４１１の両方は、図１に示すように、ネットワークを介したサーバー１０７との通信。さらに、両方の接続された車両は、第１のワイヤレスネットワーク（例えば、３Ｇ、４Ｇ、５Ｇ、衛星ベースなど）を介して、第１の接続された車両バッテリーおよび第２の接続された車両４１１の位置および近接情報をサーバ１０７に送信し得る。サーバー１０７が、第１の接続された車両分離の位置（例えば、ＧＰＳ位置）および／または近接（例えば、相対）位置）情報に基づいて接続された車両に配信される１つ以上の広告コンテンツを決定できるように。また、第１の接続された車両再生および第２の接続された車両４１１は、第２の無線ネットワーク４１７、例えば、Ｖ２Ｖ技術を介して互いに通信することができる。
【００７７】
本開示の一態様では、例では、第２の接続された車両４１１が第２の接続された車両内のオーディオ広告コンテンツの再生を検出すると、例えば、乗員はラジオ局４１５を通じてオーディオ広告コンテンツを聴いている。接続された車両４１１は、第２の接続された車両４１１内の広告データベース内のオーディオ広告コンテンツに関連または対応する視覚広告コンテンツ、例えばビデオファイルを検索することができる。
【００７８】
オーディオ広告コンテンツに関連するまたは対応する１つ以上のビデオファイルが広告データベースで見つかると、第２接続車両４１１は、第２接続車両４１１に先行する第１接続車両４０１が１つ以上の再生に利用可能かどうかを決定し得る。第２接続車両４１１の乗員が１つまたは複数のビデオファイルの視覚的広告コンテンツを見ることができるように、第１接続車両インジケータの外部ディスプレイ４０３上のビデオファイル。第２の接続車両４１１に先行する第１の接続車両からが１つまたは複数のビデオファイルの視覚広告コンテンツの再生に利用可能であると判定されると、第２の接続車両４１１はコマンドデータとともに１つまたは複数のビデオファイルを送信する。第２の無線ネットワーク４１７を介して、第１の接続された車両隔離に配置された外部ディスプレイ４０３上にビデオファイルの視覚広告コンテンツを再生するために、第１の接続された車両分離に接続する。第１の接続された車両ルータは、第２の無線ネットワーク４１７を介して受信し、第１の接続された車両変数の外部ディスプレイ４０３上に１つ以上のビデオファイルの視覚広告コンテンツを再生し、それにより第２の接続された車両の乗員への広告の効果を高める。車両４１１は、視覚的広告コンテンツが、運転者および／または、第２接続車両４１１の運転手および／または乗客は、第２接続車両４１１で再生されるオーディオ広告コンテンツを聞いている。
【００７９】
本開示の一態様では、上記のように、ビデオファイルは、車両間（Ｖ２Ｖ）通信技術などの第２のワイヤレスネットワーク４１７を介して第２の接続車両４１１から第１の接続車両後続に送信され得る。しかし、本開示の別の態様では、ビデオファイルは、クラウドを介して第１のワイヤレスネットワーク１１１を介して、第２の接続された車両４１１から第１の接続された車両フライトに送信され得る。
【００８０】
本開示の別の態様では、ビデオファイルは、サーバ１０７から第１のワイヤレスネットワーク１１１を介して第１の接続された車両４０１に送信され得る。今回、オーディオ広告コンテンツに関連するビデオファイルの検索は、ネットワークを介したサーバ１０７、および検索によって見つかった対応するまたは関連するビデオファイルは、第１のワイヤレスネットワーク１１１を介してサーバ１０７によって接続された車両４０１に送信され得る。
【００８１】
本開示のさらに別の態様では、オーディオ広告コンテンツに関連する複数のビデオファイルが見つかると、１つまたは複数の所定の条件に部分的に基づいてビデオファイルを選択することができる。１つまたは複数の所定の条件（または基準）は、接続された車両インターフェースおよび４１１の場所、第２の接続された車両４１１の視聴者の好み、タイプ、サイズ、および第２の接続された車両変数の外部ディスプレイのタイプ、サイズ、および能力をこうした得る。例として、接続された車両インターフェースおよび４１１の位置は、どの広告コンテンツが再生される必要があるかを決定するために使用され得る。一実施態様では、近くの小売店の１つまたんは複数の広告コンテンツを複製のたんめいに選択すてることかができてる。あるいは、接続された車両の場所および接続された車両のユーザのプロファイルを一緒に考慮して、接続されました車両で再生される最適に一致する広告コンテンツを選択することができる。また、１つまたは複数の所定の条件は、様々な方法で事前に設定され、サーバー１０７に格納されてもよく、１つまたは複数の所定の条件は、広告主プロファイルの一部であってもよい。
【００８２】
さらに、本開示の別の態様では、第１の接続車両によりと第２の接続車両４１１との間の所定の距離Ｄ１が維持される場合、第１の接続車両からの外部ディスプレイ４０３での視覚広告コンテンツの再生は継続し得る。ただし、所定距離Ｄ１が所定の閾値よりも大きい場合には、第１接続車両変数の外部ディスプレイ４０３でのビジュアル広告コンテンツの再生を停止してもよい。あるいは、第１接続車両インターフェースが第２接続車両４１１の乗員の視覚的到達範囲外にある場合、第１接続車両インターフェースでの視覚広告コンテンツの再生を停止してもよい。
【００８３】
さらに、本開示の別の態様では、接続された車両４０１が、第１の接続された車両４０１の運転者またはユーザー（または乗客）によって設定された目的地に近いか、またはある程度の距離がある場合、視覚的広告の再生第１接続車両インターフェースの外部ディスプレイ・タブレット上のコンテンツを停止し、第１接続車両ブランクの外部ディスプレイ４０３への電源をオフにして、第１接続車両の運転者、ユーザーまたは乗客のプライバシーを保護することができる。彼らが目的地で降りるとき、保たれます。  
【００８４】
図４Ｂは本開示の一態様による例示的な実施形態の高レベルのフローチャートを示す。この例では、第１の接続された車両が第２の接続された車両に先行し、乗員が第２の接続された車両内で、例えば無線システムを介してオーディオ広告を聞いていると仮定する。Ｓ４２１では、第２の接続車両において音声広告が検出される。オーディオ広告の再生の検出は、第２の接続された車両内の特定のキーワードまたはフレーズまたは識別情報に基づいて、例えば１つまたは複数のプロセッサとともに車載マイクロフォンを介して、広告システムによって行うことができる。また、１つまたは複数の内部カメラを使用して、第２の接続された車両におけるオーディオ広告の再生を検出することができる。
【００８５】
音声広告の検出後、Ｓ４２３において、音声広告に関連するビデオファイルが検索される。この例では、オーディオ広告の再生中に検出またはキャプチャされた特定のキーワードまたはフレーズを使用して、接続された車両の広告システムによって検索が行われます。検出された特定のキーワードまたはフレーズは、一致する広告コンテンツのオンボードデータベースに対して使用されています。あるいは、接続された車両は、検出された特定のキーワードまたはフレーズをネットワーク経由でサーバーに送信し、クエリおよび応答形式で検索することができます。
【００８６】
Ｓ４２５で、オーディオ広告に関連する（または対応する）ビデオファイルが見つかると、第２の接続車両は第１の接続車両と通信して、第１の接続車両の１つまたは複数の外部ディスプレイが再生可能かどうかを判断する。ビデオファイル。さらに、オーディオ広告に関連する（または対応する）ビデオファイルが除外ない場合、手順は終了する。  
【００８７】
さらに、Ｓ４２９のように、オーディオ広告に関連する複数のビデオファイルが見つかった場合、所定の優先順位に従って１つのビデオファイルを選択することができる。例として、所定の優先順位は、ユーザーのプロファイル、広告主のプロファイル、広告時間の長さなどの好みを含み得る。
【００８８】
Ｓ４３３において、第２の接続された車両に先行する第１の接続された車両の外部ディスプレイが使用可能であると判定された場合、例えば、ビデオファイルの再生は、第２の接続された車両がビデオファイルのコピーを第１の接続された車両に送信することができる。Ｖ２Ｖ通信技術や他の無線通信技術などの無線ネットワークを介した車両。この例では、他の制御データ（例えば、ビデオファイルの持続時間、視覚的広告コンテンツの同期再生のためのマーカーなど）と共にビデオ画像ファイルを第１の接続された車両に送信することができる。
【００８９】
第２の接続車両からビデオファイルおよび制御データを受信した後、Ｓ４３５において、第１の接続車両（または第１の接続車両の広告ユニット）は、受信した第１の接続車両の外部ディスプレイ上にビデオファイルを再生する。制御データ。本開示の別の態様では、ビデオファイルは、制御データとともに、図１のサーバー１０７のようなサーバーによって無線ネットワークを介して第１の接続された車両に配信されてさらに、本開示の別の態様では、第１の接続車両が第１の接続車両の広告コンテンツのデータベースにビデオファイルのコピーを有する場合、第１の接続車両は第２の接続車両と通信することができる。そして、第１の接続された車両の外部ディスプレイ上にビデオファイルを再生する目的で、第２の接続された車両から制御データのみを受信する。
【００９０】
このように、２つの接続された車両が前後に一緒に移動している状況で、オーディオ広告コンテンツが後部接続された車両で再生されていることが検出されると、オーディオ広告コンテンツに関連または対応するビジュアル広告コンテンツは、後方接続車両の前方の前方接続車両の外部ディスプレイに再生された、後方接続車両の乗員に広告コンテンツを視覚的に提示することができました、後方接続車両の乗員への広告効果を高めることができる。
【００９１】
図５Ａおよび５Ｂは、本開示の一態様による、本技術の例示的な実施形態を示す。図５Ａでは、２つの接続車両５０１および５１１が距離Ｄ２離れて同じ方向Ｂに移動しており、第１接続車両５０１が第２接続車両５１１に先行している。第１接続車両５０１および第２接続車両５１１のそれぞれは、図１に示すように、ネットワークを介したサーバ１０７との通信。前述のように、接続車両５０１および５１１はそれぞれ、第１の接続車両５０１および第２の接続車両５１１の位置情報および近接情報をそれぞれサーバ１０７に送信するように構成され得る。また、図５Ａに示すように、第１の接続車両５０１が第２の接続車両５１１に先行し、両方の接続車両が、Ｖ２Ｖ技術などの無線通信ネットワーク５１７を介して相互通信していると想定される。
【００９２】
本開示の一態様では、第２の接続車両５１１は、第１の接続車両５０１の外部ディスプレイ５０３上で、例えば第２の接続車両５１１に取り付けられた１つまたは複数のカメラ５１３を介して、視覚広告コンテンツの再生を検出することができる。視覚広告コンテンツの検出は、例えば、ＱＲコード（登録商標）などの視覚広告コンテンツに埋め込まれた識別情報を使用することによって実行され得る。さらに、一実施態様では、視覚広告コンテンツの検出時に、第２の接続された車両５１１は、広告コンテンツのデータベース内の視覚広告コンテンツに関連するまたは対応するオーディオ広告コンテンツ、例えば１つまたは複数のオーディオファイルを検索することができる。上記のように、広告コンテンツのデータベース（または広告データベース）は、オーディオおよびビジュアル広告コンポーネントの両方、例えば、各広告コンテンツのオーディオ広告コンテンツおよびビジュアル広告コンテンツを含むことができる。
【００９３】
図５Ａに示すように、第１接続車両５０１の外部ディスプレイに表示された視覚的広告コンテンツに関連または対応するオーディオファイルが第２接続車両５１１の広告データベースで見つかると、第２接続車両５１１は、第１接続車両５０１に続く第２接続車両５１１は、第２接続車両５１１の車載オーディオシステムを介して１つ以上のオーディオファイルを再生するために利用可能である。第１接続車両５０１に続く第２接続車両５１１が利用可能であると判定されたとき。例えば車載オーディオシステムが利用可能なオーディオ広告コンテンツの再生のために、第２の接続された車両５１１は、例えば内部スピーカなどの車載オーディオシステムを介してオーディオファイルを再生して、オーディオ広告コンテンツを再生する。オーディオファイルの一部は、第２の接続された車両５１１内の運転者または乗客に提示され、その間、視覚え的な広告が続く。音声広告コンテンツに関連するＮＴは、第１接続車両５０１の外部ディスプレイ５０３に再生される。すなわち、例えば、第２接続車両５１１は、第２接続車両５１１の広告システムを介して、音声を再生するように構成される。第１の接続車両５０１の外部ディスプレイ５０３に表示される、第２の接続車両５１１の運転者および／または乗員が、視覚広告コンテンツを見ながら音声広告コンテンツを聞くことができるように表示される視覚広告コンテンツに対応する広告コンテンツ。これは、最初に接続された車両５０１の外部ディスプレイ５０３のオーディオ広告コンテンツに関するものです。
【００９４】
図５Ａを参照すると、本開示の別の態様では、接続された車両５０１の外部ディスプレイ５０３に表示される視覚広告コンテンツに関するオーディオファイルの検索は、ネットワークを介してサーバ１０７によって実行され得る。ネットワークを介してサーバ１０７によって検索される実行されると、見つかった対応するまたは関連するオーディオファイルが、ワイヤレスネットワークを介してサーバ１０７から第２の接続されたた車両５１１に送信されてもよい。第２の接続された車両５１１がオーディオファイルを受信し、第２の接続された車両の１つ以上の車載オーディオシステム５３９を介してそれらを再生するように。
【００９５】
本開示のさらに別の態様では、視覚広告コンテンツに関連する複数のオーディオファイルが見つかると、１つまたは複数の所定の条件に部分的に基づいてオーディオファイルを選択し、１つまたは複数の入力を介してオーディオ広告コンテンツを再生することができる。１つまたは複数の所定の条件（または基準）は、接続された車両５０１および５１１の現在の位置、第２の接続された車両５１１内の乗員の好みまたはプロファイルなどを含むことができる。以上の所定の条件は、事前に設定され、ネットワークを介して接続された車両またはサーバ１０７に格納されてもよく、広告主プロファイルまたはユーザープロファイルの一部であってもよい。
【００９６】
さらに、本開示の別の態様では、第１の接続車両５０１と第２の接続車両５１１との間の所定の距離Ｄ２が所定の閾値未満のままである場合、第２の接続車両５１１におけるオーディオ広告コンテンツの再生が実行され得る。所定の距離が所定の閾値よりも大きくなると、第２接続車両５１１における音声広告コンテンツの再生が停止されてもよい。あるいは、第１接続車両５０１が第２接続車両５１１の乗員の視覚の届かない範囲にある場合、第２接続車両５１１における音声広告コンテンツの再生も停止されてもよい。
【００９７】
さらに、本開示の別の態様では、第１の接続車両５０１が、ドライバ、第１の接続車両５０１のユーザ（または乗客）によって設定された目的地に近づくと、外部ディスプレイ上の視覚的広告コンテンツの再生第１の接続された車両５０１の５０３を停止し、第１の接続された車両５０１の外部ディスプレイ５０３への電源をオフにして、第１の接続された車両５０１の運転者、ユーザまたは乗客のプライバシーを提供することができる。本開示の一態様では、第２の接続車両５１１におけるオーディオ広告コンテンツの再生は、第１の接続車両における視覚広告コンテンツの再生が停止されるときに停止されたてもよい。
【００９８】
５Ｂは本開示の一態様による実施形態の例示的なシフトを示す。
【００９９】
図５Ａおよび図５Ｂでは、第１の接続車両が第２の接続車両に先行し、第２の接続車両の乗員に、第１の接続車両の外部ディスプレイ上に再生される視覚広告コンテンツが提示されると仮定する。
【０１００】
Ｓ５２１で、第１の接続された車両の外部ディスプレイ上の視覚的広告コンテンツが、第２の接続された車両によって検出される。例として、視覚的広告は、画像処理ソフトウェアと共に、第２の接続された車両に取り付けられた１つまたは複数のカメラによって認識および／または検出され得る。広告コンテンツのＱＲコード（登録商標）、車両識別番号などの視覚広告コンテンツに埋め込まれた特定の識別情報は、視覚広告コンテンツを識別情報に、使用されてもよい。識別情報は、特定の広告コンテンツ、広告主、広告の継続時間、好ましい場所のプロファイルなどに関する情報をさらに含むことができるが、これらに限定されない。
【０１０１】
Ｓ５２３において、第１の接続された車両の外部ディスプレイ上の視覚的広告コンテンツが識別された後、視覚的広告コンテンツに関連するまたは対応するオーディオファイルが検索される。この例では、検索は、第２の接続された車両における識別情報および広告コンテンツのデータベースに基づいて、接続された車両の広告システムによって実行され得る。あるいは、第２の接続された車両は、視覚広告コンテンツの識別情報を検索のためにネットワークを介してサーバーに送信し、その後、最初に接続された車両の外部ディスプレイに表示される視覚広告コンテンツに関連または対応する１つ以上のオーディオファイルをサーバーから受信してもよい。
【０１０２】
Ｓ５２５およびＳ５３１で、視覚広告コンテンツに関連する（または対応する）オーディオファイルが見つかると、第２の接続車両は、第２の接続車両の１つ以上の内部ディスプレイがオーディオの再生に利用可能であるかどうかを決定するように構成される。ファイル。さらに、第１の接続された車両の外部ディスプレイ上で再生される視覚的広告コンテンツに関連する（または対応する）オーディオファイルが分離ない場合、手順はＳ５２７で終了する。
【０１０３】
あるいは、または任意選択で、Ｓ５２９のように、ビジュアル広告コンテンツに関連する複数のオーディオファイルが見つかった場合、所定の優先順位に従ってオーディオファイルを選択することができる。例として、オーディオファイルは、場所、選好、ユーザのプロファイル、広告主のプロファイル、広告時間の長さなどの所定の優先順位に基づいて選択されてもよい。
【０１０４】
Ｓ５３３において、第１の接続車両の後方に配置された第２の接続車両の車載オーディオシステムが利用可能であると判定された場合、例えばオーディオファイルの再生である場合、第２の接続車両はオーディオファイルを再生してもよい。車載オーディオシステム、たとえば、第２接続車両の内部スピーカーを介して、第１接続車両の外部ディスプレイに表示されるビジュアル広告コンテンツと同期して。
【０１０５】
さらに、本開示の別の態様では、第１の接続車両が第１の接続車両の広告コンテンツのデータベースにオーディオファイルのコピーを有する場合、第１の接続車両は第２の接続車両と通信して送信することができる。第２の接続された車両の車載オーディオシステムを介して実質的に同期した方法でオーディオファイルを再生するためのオーディオファイルと制御データ。あるいは、オーディオファイルは、ネットワークを介してサーバーから検索されてもよく、オーディオファイルは、第２の接続された車両の車載オーディオシステムを介して再生されてもよい。
【０１０６】
したがって、２台の接続車両が前後に移動している状況で、２番目の接続車両に先行する１番目の接続車両の外部ディスプレイにビジュアル広告コンテンツが表示されている場合、そのビジュアル広告コンテンツは、２番目の接続された車両、および視覚的な広告コンテンツに関連するオーディオ広告コンテンツは、２番目に接続された車両の車載オーディオシステムを介して再生され、広告コンテンツを視覚的にだけでなく、２次にに接続された乗員に聴覚的に提示することもできますこれにより、接続されている２番目の車両の乗員に対する広告の効果が高まります。
【０１０７】
図６Ａおよび６Ｂは、本開示の一態様による、本技術の別の実施形態を示す。例えば、図６Ａに示すように、複数のカメラ６０３を備えた接続車両６０１は、建物６２１、構造６３１（例えば、掲示板）、店舗６５１、または広告コンテンツを有する他の接続車両などの１つまたは複数の構造物の近くに配置される。本開示の一態様では、接続された車両６０１が、建物６２１の壁に表示されている１つまたは複数の広告コンテンツ６２３、６３３または６５３を検出すると、構造６３１（例えば、看板またはバスの側面または車両）、またはストア６５１、それぞれ、接続された車両６０１は、１つまたは複数の広告コンテンツ６２３、６３３、または６５３を認識および識別するように構成される。
【０１０８】
本開示の一態様では、所定の条件に基づいて、接続された車両６０１は、広告の効果を高めるために広告コンテンツ６２３、６３３、または６５３のうちの１つを選択することができる。例として、所定の条件は、広告の選択が広告主の有料加入者ステータスに基づいていることをもたらす得る。これにより、店舗６５１がコネクティッドカーを利用した広告サービスを契約している広告主の場合、検出された３つの広告コンテンツの中から広告コンテンツ６５３を選択し、コネクティッドビークル６０１で再生することで広告効果を高めることができる。今回、広告コンテンツ６５３のビジュアル広告コンテンツおよびオーディオ広告コンテンツは、接続車両６０１の内部または外部のいずれかで再生される。広告コンテンツ６５３は、車載オーディオシステムおよび表示用ディスプレイを介して接続車両６０１の内部で再生され得る。接続された車両６０１に乗員によって代替的に、広告コンテンツ６５３は、外部の人が見るために接続された車両６０１の１つ以上の外部ディスプレイに外部再生することができます。
【０１０９】
さらに、本開示の一態様では、上記の例では、１つまたは複数の広告コンテンツ６２３、６３３、または６５３を識別した後、接続された車両６０１は、１つまたは複数のオーディオファイルに関連する１つまたは複数のオーディオファイルを検索するように構成され得る。広告コンテンツのデータベースにおける広告コンテンツ６２３または６３３。見つかった音声ファイルは、接続された車両６０１の乗員が見るために、接続された車両６０１の車載オーディオシステムと内部ディスプレイを介して内部で再生できます。より多くの視覚的広告コンテンツ６２３または６３３が見つかると、所定の優先度に部分的に基づいて適切なオーディオファイルが選択され得、選択されたたオーディオファイルは、接続された車両６０１の１つ以上の車載オーディオシステムを介して再生され得る。
【０１１０】
本開示の別の態様では、接続された車両６０１は、建物６２１ならびに広告構造６３１からの距離、例えば、それぞれ、Ｄ３およびＤ４を決定するようにさらに構成される。未満の場合、建物６２１壁に表示された広告コンテンツ６２３に関連するオーディオおよび／またはビジュアル広告コンテンツは、車載オーディオシステムおよび／または内部オーディオシステムを介して、接続された車両６０１内で再生できます。ディスプレイ。あるいは、またはさらに、Ｄ４がＤ３未満である場合、建物６２１の壁に表示される広告コンテンツ６２３に関連するオーディオおよび／またはビジュアル広告コンテンツは、１つまたは複数の外部オーディオシステムを介して接続車両６０１の外部で再生され得る。例えば、外部スピーカ、および／または接続された車両６０１の１つ以上の外部ディスプレイ。さらに、上記のように、２つの広告コンテンツ６２３および６３３から、接続された車両６０１は、広告主のプロファイル、例えば、加入者ステータスなどに基づく広告コンテンツ６２３および６３３の１つの再生のために１つを選択し得る。
【０１１１】
したがって、本明細書で説明される本技術は、特定の場所の近くの１つまたは複数の接続された車両を介して広告コンテンツをさらに再生することにより、特定の場所での広告の効果を劇的に高める。
【０１１２】
本開示の別の態様では、図６Ａに示すように、接続車両６０１は、接続車両６０１の運転者、ユーザ、または乗客のプロファイル情報に基づいて、広告コンテンツ６３３および６２３から再生するものを選択するようにさらに構成され得、それにより効果を大幅に増加させる。プロファイル情報に基づくルーティングによる広告コンテンツの分析。
【０１１３】
図６Ｂは本開示の一態様による例示的なフローチャートを示す。Ｓ６２１で、接続車両は、掲示板、車両、建物などの広告など、接続車両の近くの複数の広告コンテンツを検出するように構成される。この例では、接続車両の１つまたは複数のカメラが使用される。接続された車両の近くで複数の広告コンテンツを検出する。本開示の一態様では、複数の広告コンテンツの検出は、図１に示すように、ネットワークを介してサーバ１０７によって提供される情報によって支援され得る。１。
【０１１４】
Ｓ６２３で、検出された各広告コンテンツについて、接続された車両は、広告コンテンツに関連するビデオおよび／またはオーディオファイルを検索するようにさらに構成される。あるいは、接続された車両は、検索され、広告コンテンツに関連するビデオおよび／またはオーディオファイルをネットワークを介してサーバー１０７から受信することができる。
【０１１５】
Ｓ６２５において、接続された車両は、１つまたは複数の所定の条件に基づいて、どの広告コンテンツを再生するかを決定するようにさらに構成される。例えば、広告コンテンツ（ビジュアル広告コンテンツまたはオーディオ広告コンテンツのいずれか）は、所定の優先順位に基づいて選択されてもよい。一実施態様では、接続された車両内の運転者、ユーザー、または乗客のプロファイル情報に基づいて、広告されたコンテンツは、接続された車両での再生のために選択され得る。あるいは、異なる広告コンテンツに対する広告主の加入者ステータスに基づいて、再生のために広告コンテンツを選択することができる。
【０１１６】
Ｓ６２７において、選択または決定された広告コンテンツは、外部視聴者のために接続車両の外部ディスプレイ上に、または内部居住者のために接続車両の車載オーディオおよびディスプレイを介して再生される。テスト、１つまたは複数の接続された車両を使用して同じまたは類似の広告コンテンツの視聴体験を増加および／または強化することによって、広告の効果を大幅に増加させることができる。
【０１１７】
図７Ａおよび７Ｂは、本開示の態様における本技術の別の例示的な実施形態を示す。図７Ａに示す例では、接続車両７０１は、道路上の一時停止標識７０３で停止し、広告コンテンツを接続車両７０１の１つまたは複数の外部ディスプレイ７０５に表示するように構成される。接続車両７０１が一時停止標識７０３で停止している間、歩行者または通行人７１３は、接続車両７０１の外部ディスプレイ７０５に表示された広告コンテンツ７０７を見ることができる。次に、通行人７１３は、彼または彼女を使用して広告コンテンツ７０７内の識別情報７０９を取得することができる。本開示の一態様では、広告コンテンツ７０７の識別情報７０９は、クイックレスポンス（ＱＲ）コードを含むことができる、モバイルデバイス７１１は、取得した識別情報７０９を所定のウェブサイトまたはアプリケーションに入力する。識別のための車両識別番号、広告主情報など。
【０１１８】
さらに、上記の例では、本開示の別の態様では、通行人７１３が、取得した識別情報７０９を所定のウェブサイトまたはモバイルデバイス７１１上のアプリケーションに入力すると、識別情報７０９に含まれるデータが送信される。図１に示すように、サーバー１０７へ。さまざまな検証目的で１。サーバー１０７が広告コンテンツ７０７内の受信された識別情報を検証すると、サーバー１０７は、通行人７１３および／または接続された車両７０１の所有者または運転手に１つまたは複数の報酬を支払うことができる。本開示では、報酬は、接続された車両７０１の割引レンタル料金、追加の使用時間、または次回使用するためのクレジットの形態であり得る。あるいは、報酬は、通行人による他の異なる形態であり得る。および／または接続されている車両の所有者。
【０１１９】
さらに、広告コンテンツは、時刻に基づいて選択されてもよい。残り、例えば、大都市では、午後６時以降に再生するために、ドリンク、バーなどの販売に関連する１つまたは複数の広告コンテンツを選択し、ショッピングストアまたはイベントなどの他の広告コンテンツを選択して再生することができる。日中。本開示の別の態様では、１つまたは複数の広告コンテンツは、接続された車両を取り巻く人々の属性（たとえば、年齢、性別、好みなど）に基づいて選択することもできる。それ、コネクティッドビークルは、周囲の人の属性を検出し、ターゲット広告であるコネクティッドビークルの外部ディスプレイに、周囲の人の属性に最も適した１つ以上の広告コンテンツを再生することができる。  
【０１２０】
図７Ｂは本開示の一態様による例示的なフローチャートを示す。例として、報酬報酬スキームの例が示されている。この例では、通行人７０９（または顧客）が識別情報を所定のウェブサイトまたはモバイル機器７１１上のアプリケーションに入力すると、図１のサーバ１０７が、図１のサーバ１０７にアクセスする。Ｓ７２１と同様に、接続車両で再生された広告コンテンツの識別情報を受信するように構成されている。広告コンテンツの識別情報を受信した後、Ｓ７２３で、サーバはさらに、データベース内の広告コンテンツに関連するまたは関連する報酬支払いプランを検索するように構成される。さらに、Ｓ７２５で、報酬支払いプランに基づいて、サーバーは、契約条件、ユーザーのプロフィール情報、ドライバー、所有者などの支払い条件を考慮して、異なる当事者に支払われるべき１つまたは複数の報酬を決定するように構成される。接続されていますている車両と顧客。Ｓ７２７で、支払い条件に基づいて、サーバは、ユーザ、ドライバ、接続された車両の所有者、ならびに顧客などのさまざまな関係者に１つまたは複数の報酬を支払うように構成される。上記のように、１つまたは複数の報酬は、接続された車両の割引レンタル料金、接続された車両の追加使用時間、または接続された車両の次回使用のためのクレジット、またはそれらの他の組み合わせの形であり得る。あるいは、１つまたは複数の報酬は、サードパーティから利用可能な他の割引またはサービスの形をとることがあります。このように、本技術によれば、コネクティッドビークルによる広告コンテンツの配信に携わる関係者の利用意欲をさらに高め、一つ以上のコネクティッドビークルを広告プラットフォームとして利用することにより、広告効果を大幅に高めることができる。
【０１２１】
図８は本開示の一態様における本技術の別の実施形態を示す。本開示の一態様では、接続された車両のユーザは、図８Ａ〜８Ｃに示すように、出発地から目的地までの最大報酬経路を選択するオプションを備えたトラベルユーザーインターフェース（ＧＵＩ）を介して提示され得る。に示すように本明細書で説明するように、「最大報酬ルート」という用語は、接続された車両のユーザ（運転者または乗客）がルートで最大量の報酬を収集できる出発地から目的地までのルートを意味するために本明細書で使用される。上記のように、報酬は、広告を閲覧します、特定のアクション、例えば、経路に沿った広告の識別情報をスキャンして入力することによって収集されてもよい。
【０１２２】
図８Ａに示されるように、接続された車両のユーザまたは運転者は、車載ナビゲーションデバイスのＧＵＩを介して出発地および目的地の情報を入力することができる。さらに、ＧＵＩはまた、接続された車両のユーザまたはドライバに、図８Ｂに示すように、最小走行距離ルート、最小走行時間ルート、無料道路ルート、高速道路ルート、および最大報酬ルートなどの様々なルートオプションを提示することができる。車載ナビゲーション装置のＧＵＩを介して最大報酬ルートを選択して確認すると、図８Ｃでは、最大報酬経路は、少なくとも部分的に、最大運転距離、最大運転時間、または経路内の報酬の合計に基づいて決定される。例として、一実施態様では、最大運転距離ルートに対する報酬の第１の合計が計算され、最大運転時間ルートに対する報酬の第２の合計が計算される。次に、図８Ｃに示されるように、出発地から目的地までの、報酬の最大の合計をもたらす経路が選択され、最大報酬経路としてユーザまたは導出者に提示されてもよい。最大報酬ルートを決定するための他の方法は、接続された車両のユーザーまたはドライバーの好みまたはプロファイルに基づいて可能であり得る。
【０１２３】
さらに、本開示の別の態様では、接続された車両が特定の領域、特定の道路、および／または特定の地域を通過するときに、特定の経路に対する報酬の合計が、予想される広告効果に基づいて決定され得る。ストア。それ以外にもつまたは複数の広告は、特定の地域、特定の道路、および／または特定の店舗に関連付けられてもよく、接続された車両のユーザーまたはドライバの特定のアクションは、広告目的で引き出される。代替として、接続された車両が特定の地域、特定の道路、および／または特定の店舗を通過するとき、報酬の合計の値は、経路における予想される広告効果基づいて決定されてもよい。例として、小売スポーツ用品店は、熱心なハイカーであてるコネクテッドカーのユーザーまたんはドライバーが特定の広告コンテンツを閲覧し、道路ご覧ください上の小売スポーツ用品店を通のり過ぎてる特定の行動をとるときに報酬を支払うことを望む場合があります。広告内容に応じて。
【０１２４】
本開示の別の態様では、一実装では、サーバは、ユーザまたはドライバがプロンプトに応答して車載マイクを介して特定のキーワードまたはフレーズを入力すると、接続された車両のユーザまたはドライバに報酬を提供するように構成される。スポーツ用品小売店からの広告を見た後、所定の時間内に車載オーディオを介して提供されます。
【０１２５】
このように、報酬支払いシステムを採用することにより、接続車両を使用する広告の効果は、道路上の接続車両のユーザー、ドライバー、または乗客を積極的に従事させることによってさらに増加することができる。
【０１２６】
例として、１つまたは複数の広告コンテンツが接続された車両のユーザ（運転者または乗客）に提示されると、１つまたは複数の報酬が所定の当事者、例示、接続された車両のユーザ（運転者または乗客）に支払われ得る。または、接続された車両のユーザー（運転者または乗客）が広告主による特定の推奨行動をとったとき、接続された車両の所有者。上記の例では、報酬の支払いについて、広告主は、１つ以上の広告コンテンツがユーザー（ドライバーまたはドライバー）に提示された後、接続された車両のユーザー（ドライバーまたは乗客）による定義のキーワードまたはフレーズの入力を要求する場合があります。接続された車両の乗客）。また、本開示の一態様では、支払われるべき１つまたは複数の報酬は、接続された車両の割引レンタル料金、接続された車両の追加の使用時間、次回使用するためのクレジットの形式、またはそれらの任意の組み合わせであり得る。あるいは、１つまたは複数の報酬は、サードパーティによって提供される他のサービスまたは商品の割引など、他の形であってもよい。
【０１２７】
本明細書で説明するように、本技術の様々な態様を採用すると、接続された車両を使用する広告の効果が大幅に増大し、それにより広告主または他の関係者により効果的な広告プラットフォームが提供される。本開示は、広告コンテンツを使用して本発明の様々な態様を説明するが、それに限定されず、その後、他の情報は、１つまたは複数の接続された車両を介して効果的に配信され得る。
【０１２８】
図９は、様々な機能のための装置を概念的に示す例図を示し、例えば、接続された車両１０１、構造１０３、および広告システム２００および／またはサーバ１０７における、制御および監視機能またはユニットまたは回路。例として、図１〜８に示されるように、広告システム２００、広告システム２００の様々な構成要素（例えば、主制御ユニット２３３、通信ユニット２３５、センサーユニット２３７、出力ユニット２３９、データベースなど）、サーバー１０７、サーバー１０７の様々な構成要素（例えば、通信ユニット３０１、管理および制御ユニットスキャナー、アカウント管理ユニット３１１、データベースクロック、３０７、および３０９）、および他の構成要素は、図９に示す例示的な装置９００を部分的に使用して実装され得る。
【０１２９】
図９に示すように、バス９０１は、１つまたは複数の処理システム（またはプロセッサ）９０３、１つまたは複数のメモリ（または記憶ユニット）９０５、１つまたは複数の通信インターフェース９０７、および／または任意選択で１つまたは複数の入力／１つまたは複数の処理システム９０３は、ここで開示された本技術の１つまたは複数の機能に関連する、非一時的なコンピュータ可読媒体に格納されたソフトウェアの実行を含む、バスおよび一般処理の管理を担当することができる。
【０１３０】
さらに、１つまたは複数の処理システム９０３は、命令を解釈して実行するマイクロプロセッサなどの１つまたは複数のプロセッサを含むことができる。他の実装では、１つまたは複数の処理システム９０３は、１つまたは複数の特定用途向け集積回路（ＡＳＩＣ）、フィールドハンドラゲートアレイ（ＦＰＧＡ）などとして実装されるか、またはそれらを含むことができる。ソフトウェアは、１つまたは複数の処理システム９０３によって実行されると、１つまたは複数の処理システム９０３に、任意の特定の装置について本明細書で説明されている様々な機能を実行させることができる。非一時的コンピュータ可読媒体はまた、ソフトウェアを実行するときに１つまたは複数の処理システム９０３によって操作されるデータを格納するために使用されてもよい。
【０１３１】
さらに、１つまたは複数のメモリ９０５は、ランダムアクセスメモリおよび／または読み取り専用メモリを含む様々なタイプのメモリ、および／または他のタイプの磁気または光記録媒体、および／または情報を格納するためのその対応するデバイスを含むことができる。指示および／またはその取得。１つまたは複数の通信インターフェース９０７は、他のデバイスおよび／またはシステムとの通信を可能にする任意のトランシーバのようなメカニズムも含むことができる。１つまたは複数の入力／出力デバイス９０９は、情報を入力すること、および／または情報を入力に出力することを可能にするデバイスを後述する。
【０１３２】
特徴の特定の組み合わせが本明細書に開示され、かつ／または特許請求の範囲に列挙されているが、これらの組み合わせは、本技術の開示を限定することを意図していない。さらに、本開示様々な態様による、１つまたは複数のシステム、装置、およびフローチャートを含む、本明細書で開示される本技術の方法または方法論は、ソフトウェア、ハードウェア、ソフトウェアおよびハードウェアの任意の組み合わせで実装コントローラ、プロセッサ、コンピュータ、または１つまたは複数のプロセッサを含む処理システムによる実行のためにコンピュータ可読媒体に組み込まれたコンピュータプログラムまたはセレクタ。プロセッサの例には、マイクロコントローラ、マイクロプロセッサ、デジタルシグナルプロセッサ（ＤＳＰ）、ディスクリートハードウェア回路、ゲートロジック、ステートマシン、別途ロジックデバイス（ＰＬＤ）、ＦＰＧＡ、およびここで説明するさまざまな機能を実行するように構成されたその他の適切なハードウェアが含まれます。
【０１３３】
単純化のために、方法論は一連のステップまたは行為として本明細書に記載されているが、請求される主題はステップまたは行為の順序によって制限されないことを理解されたい。／またはここに示され、説明されている他の行為と同時に。さらに、ここに開示された本技術による様々な方法論を実施するために、例示されたすべてのステップまたは行為、例えば様々なフローチャートが必要とされるわけではないさらに、本明細書および本明細書全体で開示される方法論は、そのような方法論を１つまたは複数の処理システムに移送および転送することを容易にするために製造品に格納することができる。
【０１３４】
本明細書で使用される「ソフトウェア」という用語は、任意の命令、命令セット、プログラム、サブプログラム、コード、プログラムコード、ソフトウェアモジュール、アプリケーション、ソフトウェアパッケージ、ルーチン、オブジェクト、実行可能ファイル、実行スレッド、手順を意味するように広く解釈されます。それ、マイクロコード、ミドルウェア、ソフトウェア、ハードウェア記述言語などを含む機能など。ソフトウェアはまた、一般的なソフトウェア、チャット、ミドルウェア、マイクロコード、ハードウェア記述言語などを指す場合がある。上記のように、ソフトウェアは、コンピュータ可読媒体に格納することができる。
【０１３５】
コンピュータ可読媒体の例には、例として、光ディスク、磁気記憶デバイス、デジタル多用途ディスク、フラッシュメモリ、ランダムアクセスメモリ（ＲＡＭ）などの非一時的コンピュータ可読媒体が含まれ得る。読み取り専用メモリ（ＲＯＭ））、レジスタ、別途ＲＯＭ（ＰＲＯＭ）、消去可能ＰＲＯＭ（ＥＰＲＯＭ）、電気的消去可能ＰＲＯＭ（ＥＥＰＲＯＭ）、リムーバブルディスク、フラッシュメモリデバイス、およびその他の適切な媒体プロセッサまたは処理システムによってアクセスされ、ベクターられます。また、当業者は、設計制約内の特定の用途に応じてる、既存のネットワーク要素に新しいシステム機能を追加することに関して、記載された機能をどのように実装するのが最良かを認識するであろう。
【０１３６】
本明細書で使用される「ユニット」または「コンポーネント」という用語は、ソフトウェア、ハードウェア、またはそれらの任意の組合せを意味する。ユニットは、ソフトウェアコンポーネント、ハードウェアコンポーネント、またはプロセッサ、中央処理装置（  ＣＰＵ）、ＦＰＧＡ、ロジック、ロジックアレイ、ＡＳＩＣ、ＤＳＰ、マイクロコントローラー、マイクロプロセッサーなどを含むそれらの任意の組み合わせとして実装できます。それらの任意の組み合わせ。その後、ユニットは、ソフトウェアコンポーネント、タスクコンポーネント、プロセス、手順、機能、プログラムコード、別途、マイクロコード、回路、データ構造、テーブル、アレイ、および変数を取り込む得る。
【０１３７】
「製品」という用語は、任意のコンピュータ可読デバイス、キャリア、または媒体からアクセス可能なコンピュータプログラムを包括する意図されている。文脈に明確に反対の意味がない場合、単数形には複数形が含まれることがあります。また、本明細書で使用される場合、冠詞「Ａ」は、１つまたは複数のアイテムを含むことが意図されている。さらに、本開示で使用される要素、行為、ステップ、または命令は、本開示でそのように明示的に説明されていない限り、本開示にとって重要または必須であると解釈されるべきではない。
【０１３８】
本明細書で使用する明示的に別段の記載を除いているように、用語「含む」など、「含む（含む）「を含む」Ａ」および「」なる用語の変形は、他の添加剤、成分、整数または工程を排除することを意図していません。本明細書で使用される「第１」、「第２」などの用語は、様々な構成要素を説明するために使用され得るが、構成要素は上記の用語によって限定されない。上記の用語は、本開示の範囲から逸脱することなく、１つの構成要素を他の構成要素から区別するためにのみ使用される。
【０１３９】
また、本明細書で使用される「および／または」という用語は、複数の関連アイテムの組み合わせ、または複数の関連アイテムの任意のアイテムを含む。さらに、要素が別の要素に「結合」または「接続」されていると記載されている場合、要素は他の要素に直接結合または直接接続されてもよく、または要素は第３の要素を介して他の要素に結合または接続されてもよい。また、「中」という用語は、「中」および「上」を含む得る。
【０１４０】
さらに、本日明細書で使用さんくれてる「含む」またんは「有すてる」とかいう用語は、本明細書で説明される特徴、動作、構成要素、ステップ、数、部品またはそれらの任意の組合せが存在することを示す。さらに、「含む」またんは「有すてる」とかいう用語は、１つまたは複数の他の特徴、動作、構成要素、ステップ、数、部品またんは組み合わせいの存在またんは追加の可能性を排除すてるかものではない。
【０１４１】
本技術は、例示的な実施形態を説明する目的で本明細書に説明される特定の例で示されているが、多種多様な代替および／または同等の実装が、示され説明される特定の例の代わりになり得ることが当業者によって理解される。本開示の範囲から逸脱することなく。それ、本開示は、本開示の精神および技術的範囲から逸脱することなく、本明細書に示されるされ、説明される例および／または実施形態のあらゆる適合または変形を網羅することを意図している。
【図１】
2021512438.tif 000003
【図２Ａ】
2021512438.tif 000004
【図２Ｂ】
2021512438.tif 000005
【図２Ｃ】
2021512438.tif 000006
【図３】
2021512438.tif 000007
【図４Ａ】
2021512438.tif 000008
【図４Ｂ】
2021512438.tif 000009
【図５Ａ】
2021512438.tif 000010
【図５Ｂ】
2021512438.tif 000011
【図６Ａ】
2021512438.tif 000012
【図６Ｂ】
2021512438.tif 000013
【図７Ａ】
2021512438.tif 000014
【図７Ｂ】
2021512438.tif 000015
【図８Ａ】
2021512438.tif 000016
【図８Ｂ】
2021512438.tif 000017
【図８Ｃ】
2021512438.tif 000018
【図９】
2021512438.tif 000019
【国際調査報告】
2021512438.tif 000020
2021512438.tif 000021